(57)【要約】【課題】有機ＥＬディスプレイと繋がるケーブル及びケーブルと有機ＥＬディスプレイとの接続部が損傷し難いディスプレイユニット等を提供する。【解決手段】対面する少なくとも２枚の透光性を有する透光板と、前記２枚の透光板間にて互いに対面させて配置され当該透光板よりも面積が狭い透光性を有する有機ＥＬディスプレイと、を有し、前記２枚の透光板間にて前記有機ＥＬディスプレイによる表示領域の外側の領域に前記有機ＥＬディスプレイと当該有機ＥＬディスプレイを制御する制御部とを繋ぐケーブルが配置されている。【選択図】図１
2019008212.tif 000002
【特許請求の範囲】
【請求項１】
対面する少なくとも２枚の透光性を有する透光板と、
前記２枚の透光板間にて互いに対面させて配置され当該透光板よりも面積が狭い透光性を有する有機ＥＬディスプレイと、
を有し、
前記２枚の透光板間において前記有機ＥＬディスプレイによる表示領域の外側の領域に前記有機ＥＬディスプレイと当該有機ＥＬディスプレイを制御する制御部とを繋ぐケーブルが配置されていることを特徴とするディスプレイユニット。
【請求項２】
請求項１に記載のディスプレイユニットであって、
前記２枚の透光板間にて前記有機ＥＬディスプレイによる表示領域の外側の領域は、非透光性の部材により覆われていることを特徴とするディスプレイユニット。
【請求項３】
請求項２に記載のディスプレイユニットであって、
前記非透光性の部材は、シート状の部材であることを特徴とするディスプレイユニット。
【請求項４】
請求項２に記載のディスプレイユニットであって、
前記非透光性の部材は、塗料であることを特徴とするディスプレイユニット。
【請求項５】
請求項１乃至請求項４のいずれかに記載のディスプレイユニットであって、
前記２枚の透光板のうちの一方は、Ｌｏｗ−Ｅガラスであることを特徴とするディスプレイユニット。
【請求項６】
請求項１乃至請求項５のいずれかに記載のディスプレイユニットの周端部が框に収容されていることを特徴とする障子。
【請求項７】
請求項６に記載の障子であって、
前記框は合成樹脂製であることを特徴とする障子。
【請求項８】
請求項１乃至請求項５のいずれかに記載のディスプレイユニットを備え、
躯体に固定される窓枠に支持されていることを特徴とする建具。
【請求項９】
請求項８に記載の建具であって、
前記窓枠は合成樹脂製であることを特徴とする建具。
【発明の詳細な説明】
【技術分野】
【０００１】
本発明は、透光性を有し画像等を表示可能なディスプレイユニット、障子及び建具に関する。
【背景技術】
【０００２】
透光性を有し画像等を表示可能な障子として、画像等を表示する透明ディスプレイを有するショーケースのガラスドアが知られている（例えば、特許文献１参照）。このガラスドアは、ガラスドアの複層ガラスを構成するガラス板の中空層に臨む面の一部又は全面に有機ＥＬディスプレイなどの透明ディスプレイが設けられている。
【先行技術文献】
【特許文献】
【０００３】
【特許文献１】国際公開第２０１４／１７５１９３号パンフレット
【発明の概要】
【発明が解決しようとする課題】
【０００４】
上述したガラスドアは、複層ガラスの中空層に有機ＥＬディスプレイが設けられているため当該有機ＥＬディスプレイに電力の供給や信号の授受等のためにケーブルが必要あり、有機ＥＬディスプレイから繋がったケーブル及びケーブルと有機ＥＬディスプレイとの接続部が外部に露出して損傷し易いという課題がある。
【０００５】
本発明は、かかる課題に鑑みてなされたものであり、その目的とするところは、有機ＥＬディスプレイと繋がるケーブル及びケーブルと有機ＥＬディスプレイとの接続部が損傷し難いディスプレイユニット、障子及び建具を提供することにある。
【課題を解決するための手段】
【０００６】
かかる目的を達成するために本発明のディスプレイユニットは、対面する少なくとも２枚の透光性を有する透光板と、前記２枚の透光板間にて互いに対面させて配置され当該透光板よりも面積が狭い透光性を有する有機ＥＬディスプレイと、を有し、前記２枚の透光板間において前記有機ＥＬディスプレイによる表示領域の外側の領域に前記有機ＥＬディスプレイと当該有機ＥＬディスプレイを制御する制御部とを繋ぐケーブルが配置されていることを特徴とするディスプレイユニットである。
【０００７】
このようなディスプレイユニットによれば、２枚の透光板間おいて前記有機ＥＬディスプレイによる表示領域の外側の領域にケーブルが配置されているので、有機ＥＬディスプレイによる表示がケーブルにより妨げられない。また、ケーブルは２枚の透光性を有する透光板の間に配置されているので、ケーブル及びケーブルと有機ＥＬディスプレイとの接続部の損傷を防止することが可能である。
【０００８】
かかるディスプレイユニットであって、前記２枚の透光板間にて前記有機ＥＬディスプレイによる表示領域の外側の領域は、非透光性の部材により覆われていることが望ましい。
このようなディスプレイユニットによれば、ケーブルが配置されている有機ＥＬディスプレイによる表示領域の外側の領域が非透光性の部材により覆われているので、ケーブルが外部から視認されることを防止することが可能である。
【０００９】
かかるディスプレイユニットであって、前記非透光性の部材は、シート状の部材であることが望ましい。
このようなディスプレイユニットによれば、非透光性の部材はシート状の部材なので接着するだけでケーブルが外部から視認されることを防止することが可能である。
【００１０】
かかるディスプレイユニットであって、前記非透光性の部材は、塗料であることとしてもよい。
このようなディスプレイユニットによれば、非透光性の部材は塗料なので塗布するだけでケーブルが外部から視認されることを防止することが可能である。
【００１１】
かかるディスプレイユニットであって、前記２枚の透光板のうちの一方は、Ｌｏｗ−Ｅガラスであることが望ましい。
このようなディスプレイユニットによれば、２枚の透光板のうちの一方はＬｏｗ−Ｅガラスなので、温度の上昇が抑えられる。このため、有機ＥＬディスプレイの熱による損傷を防止することが可能である。
【００１２】
また、上記ディスプレイユニットの周端部が框に収容されていることを特徴とする障子である。
このような障子によれば、障子面に表示可能で、ケーブル及びケーブルと有機ＥＬディスプレイとの接続部が損傷し難い障子を提供することが可能である。
【００１３】
かかる障子であって、前記框は合成樹脂製であることが望ましい。
このような障子によれば、框の熱伝導による温度の上昇を抑えられる。このため、有機ＥＬディスプレイの熱による損傷を防止することが可能である。また、室内の温度変化も抑えることが可能である。
【００１４】
また、上記ディスプレイユニットを備え、躯体に固定される窓枠に支持されている建具である。
このような建具によれば、障子面に表示可能で、ケーブル及びケーブルと有機ＥＬディスプレイとの接続部が損傷し難い建具を提供することが可能である。
【００１５】
かかる建具であって、前記窓枠は合成樹脂製であることが望ましい。
このような建具によれば、窓枠の熱伝導による温度の上昇を抑えられる。このため、有機ＥＬディスプレイの熱による損傷を防止することが可能である。また、室内の温度変化も抑えることが可能である。
【発明の効果】
【００１６】
本発明によれば、有機ＥＬディスプレイと繋がるケーブル及びケーブルと有機ＥＬディスプレイとの接続部が損傷し難いディスプレイユニット、障子及び建具を提供することが可能である。
【図面の簡単な説明】
【００１７】
【図１】本実施形態に係る建具を示す内観図である。
【図２】本実施形態に係る建具を示す縦断面図である。
【図３】本実施形態に係る建具を示す横断面図である。
【図４】ディスプレイユニットを備えた辷り出し窓用の建具を示す横断面図である。
【発明を実施するための形態】
【００１８】
以下、本発明の一実施形態に係るディスプレイユニット、障子及び建具について図面を参照して説明する。
本実施形態では、例えば、図１〜図３に示すようなＦＩＸ窓用の建具１にディスプレイユニット１０が備えられている例について説明する。
【００１９】
以下の説明においては、建物等に取り付けられた状態の建具１を、室内側から見たときに、上下となる方向を上下方向、左右となり建具１の幅となる方向を左右方向または幅方向、室内外方向である奥行き方向を見込み方向として示す。建具１の各部位であっても、また、建具１を構成する各部材については単体の状態であっても、建物等に取り付けられた状態にて上下方向、左右方向、見込み方向となる方向にて方向を特定して説明する。
【００２０】
本実施形態の建具１は、透光性を有する２枚の透光板としての無色透明なガラス板１１、１２を用いて形成された複層ガラスの２枚のガラス板１１、１２間に透光性を有する有機ＥＬディスプレイ１３が設けられているディスプレイユニット１０と、躯体５に固定されてディスプレイユニット１０の外周端部を収容して保持する窓枠２と、を有している。
【００２１】
窓枠２は、押出成型材でなる枠部材３を適宜長さにて切断した４本の枠部材３を矩形状に枠組みして形成され、ディスプレイユニット１０を保持するための押縁４を有している。４本の枠部材３は、端部が長手方向に対して４５度をなすように斜めに切断され、互いに隣接する枠部材３の端部同士を突き合わされて溶着されている。
【００２２】
４本の枠部材３は、断面形状が同一でありディスプレイユニット１０の外周端部を収容している状態もほぼ同様なので、窓枠２を構成する各枠部材３の構造については、ディスプレイユニット１０の下側に配置されて下端を収容する下側の枠部材３を例に挙げて説明する。以下の説明においては、各枠部材３に共通するように、４本の枠部材３が矩形状に枠組みされた状態で、窓枠２に囲まれた空間側を内周側、反対側を外周側として説明する。すなわち、下側の枠部材３の上側が内周側に相当し、下側が外周側に相当する。
【００２３】
下側の枠部材３は、長手方向に沿う中空部３ａを有する枠部材本体部３ｂと、枠部材本体部３ｂの室内側の部位から内周側に突出する内周突出部３ｃと、枠部材本体部３ｂから外周側に延出されて躯体５に固定されるヒレ状の躯体固定部３ｄと、を有している。枠部材本体部３ｂの内周面の室外側には、内周突出部３ｃとともにディスプレイユニット１０の外周端部を挟持する押縁４が嵌合されている。
【００２４】
ディスプレイユニット１０は、２枚のガラス板１１、１２と、２枚のガラス板の間に介在され枠状に配置されるスペーサー１４と、スペーサー１４の内側に配置される有機ＥＬディスプレイ１３と、スペーサー１４及び有機ＥＬディスプレイ１３が介在された２枚のガラス板１１、１２の外周部を全周に亘って収容する金属製のユニット枠１５と、を有している。
【００２５】
ディスプレイユニット１０が備える２枚のガラス板１１、１２は、一方の面にＬｏｗ−Ｅ膜を備えるＬｏｗ−Ｅガラス１１と、強化ガラス１２とである。Ｌｏｗ−Ｅガラス１１及び強化ガラス１２は各々、互いに対向する内側面に、シート状をなして透光性を有しない非透光性の部材としての黒色の非透光性フィルム１６が接着されている。
【００２６】
非透光性フィルム１６は、Ｌｏｗ−Ｅガラス１１及び強化ガラス１２の外形寸法とほぼ同じ寸法をなし、中央に、矩形状の開口１６ａが設けられている。このため、Ｌｏｗ−Ｅガラス１１及び強化ガラス１２は、中央に設けられた開口１６ａの外側の部位に、非透光性フィルム１６に覆われて透光性を有しない領域が設けられている。非透光性フィルム１６が設けられたＬｏｗ−Ｅガラス１１及び強化ガラス１２は、互い対向する外周端部間に金属製のスペーサー１４を介して対面されている。
【００２７】
スペーサー１４は、Ｌｏｗ−Ｅガラス１１および強化ガラス１２の外周縁に沿って矩形をなす枠状に配置されており、矩形状に配置されたスペーサー１４に囲まれる内周側に有機ＥＬディスプレイ１３が設けられている。
【００２８】
有機ＥＬディスプレイ１３は、透光性を有して画像等を表示可能であり、長方形状をなして無色透明なディスプレイ本体１７と、ディスプレイ本体１７をスペーサー１４の内周側に位置させてスペーサー１４に固定するための金属製の固定金具１８と、を有している。
【００２９】
ディスプレイ本体１７は、スペーサー１４に囲まれた領域の面積とほぼ同じ面積を有し、長方形状の長手方向が上下方向に沿うよう配置される。ディスプレイ本体１７の左側の端部からは、当該ディスプレイ本体１７と、電源を含む制御部としてのコントローラ（不図示）と、を繋ぐためのフレキシブルフラットケーブル１５ａが引き出され、ディスプレイ本体１７の長手方向に沿って配置されユニット枠１５の下から外部に延出されている。
【００３０】
固定金具１８は、ディスプレイ本体１７の外周部分に当接され、ディスプレイ本体１７の大きさと同じ大きさの枠状をなしている。固定金具１８は、ディスプレイ本体１７の表面及び裏面にそれぞれ設けられ、ディスプレイ本体１７の外周部を両側から挟持するように設けられている。
【００３１】
ディスプレイ本体１７の外周部を両側から固定金具１８により挟持した状態の厚みは、スペーサー１４の見込み方向の厚みとほぼ等しく形成されている。また、ディスプレイ本体１７を挟持した固定金具１８は、その側端面が、スペーサー１４の内周面と対向するように、有機ＥＬディスプレイ１３が配置される。この状態で、スペーサー１４の室内に臨む面と固定金具１８の室内に臨む面及びスペーサー１４の室外に臨む面と固定金具１８の室外に臨む面とは、いずれも同一の平面をなしている。
【００３２】
ディスプレイ本体１７の左側に引き出されているフレキシブルフラットケーブル１５ａは、固定金具１８の表面に巻き付けるように屈曲され、当該固定金具１８とディスプレイ本体１７の面外方向にて対向するように配置されている。
【００３３】
スペーサー１４及びスペーサー１４の内側に配置された有機ＥＬディスプレイ１３の固定金具１８は、非透光性フィルム１６を介してＬｏｗ−Ｅガラス１１と、強化ガラス１２とに接着されて一体をなしている。ディスプレイ本体１７の左側に設けられているフレキシブルフラットケーブル１５ａは、固定金具１８の上下方向に沿う部位に重ねられて、固定金具１８と非透光性フィルム１６との間に配置され、非透光性フィルム１６に接着されている。
【００３４】
Ｌｏｗ−Ｅガラス１１及び強化ガラス１２の間に有機ＥＬディスプレイ１３が配置された状態で、非透光性フィルム１６に設けられた開口１６ａは、ディスプレイ本体１７の外周に設けられている枠状の固定金具１８の内周より僅かに内側に形成されている。このため、開口１６ａより外側に位置するスペーサー１４、固定金具１８及びフレキシブルフラットケーブル１５ａは、開口１６ａからは視認されない。本実施形態においては、有機ＥＬディスプレイ１３において開口１６ａの外側の領域Ｓが、有機ＥＬディスプレイ１３による表示領域の外側の領域に相当し、図１においては、グレーに着色して示している。すなわち、有機ＥＬディスプレイ１３による表示領域は、有機ＥＬディスプレイ１３により画像等を表示可能な領域ではなく、有機ＥＬディスプレイ１３により表示された画像等が開口１６ａを通して視認可能な領域を示している。
【００３５】
有機ＥＬディスプレイ１３を備えたＬｏｗ−Ｅガラス１１及び強化ガラス１２の外周部は、断面がコ字状をなす枠材が矩形状に枠組みされたユニット枠１５に収容されている。ディスプレイユニット１０は、Ｌｏｗ−Ｅガラス１１が室外側に位置するように、躯体５に固定された窓枠２に装着されてＦＩＸ窓を構成する。
【００３６】
本実施形態のディスプレイユニット１０が窓枠２に保持されたＦＩＸ窓は、Ｌｏｗ−Ｅガラス１１、強化ガラス１２、及び、ディスプレイ本体１７のいずれもが透光性を有しているので、非透光性フィルム１６が有する開口１６ａの内側が素通しの窓をなしており、ディスプレイ本体１７に電力を供給すると共に、コントローラーを介して画像信号等を供給すると、素通しの窓部に所望の画像等を表示することが可能である。
【００３７】
本実施形態のディスプレイユニット１０によれば、Ｌｏｗ−Ｅガラス１１及び強化ガラス１２の間において有機ＥＬディスプレイ１３による表示領域の外側の領域Ｓにフレキシブルフラットケーブル１５ａが配置されているので、有機ＥＬディスプレイ１３による表示がフレキシブルフラットケーブル１５ａにより妨げられない。また、フレキシブルフラットケーブル１５ａは、Ｌｏｗ−Ｅガラス１１と強化ガラス１２との間を通して外部に延出される。すなわち、フレキシブルフラットケーブル１５ａは、Ｌｏｗ−Ｅガラス１１及び強化ガラス１２の間に配置されているので、フレキシブルフラットケーブル１５ａ及びフレキシブルフラットケーブル１５ａと有機ＥＬディスプレイ１３との接続部の損傷を防止することが可能である。
【００３８】
また、フレキシブルフラットケーブル１５ａが配置されている有機ＥＬディスプレイ１３による表示領域の外側の領域Ｓが非透光性フィルム１６により覆われているので、フレキシブルフラットケーブル１５ａが外部から視認されることを防止することが可能である。
【００３９】
また、非透光性の部材はシート状の非透光性フィルム１６なので、非透光性フィルム１６をＬｏｗ−Ｅガラス１１及び強化ガラス１２に接着するだけでフレキシブルフラットケーブル１５ａの露出を防止することが可能である。
【００４０】
また、２枚のガラス板１１、１２のうちの一方はＬｏｗ−Ｅガラス１１なので、ディスプレイユニット１０の温度上昇を抑えることが可能である。このため、有機ＥＬディスプレイ１３の熱による損傷を防止することが可能である。
【００４１】
上記実施形態においては、透光板としてガラス板１１、１２を用いた例について説明したが、これに限らず、例えばポリカーボネイトなどの合成樹脂製の板材であっても、透光性を有する板材であれば構わない。また、上記実施形態においては、ディスプレイユニット１０が備える２枚のガラス板１１、１２のうちの一方をＬｏｗ−Ｅガラス１１としたが、いずれも強化ガラスを用いても構わない。
【００４２】
また、上記実施形態においては、Ｌｏｗ−Ｅガラス１１強化ガラス１２及び有機ＥＬディスプレイ１３を無色透明としたが、必ずしも無色でなくとも構わない。例えば、透光性を有する有色の透光板や、フロストガラスなど表面に処理が施されている透光板等であっても、有機ＥＬディスプレイ１３の表示が視認可能であれば構わない。
【００４３】
また、上記実施形態においては、非透光性を有する部材を非透光性フィルム１６としたが、これに限らず、例えば、Ｌｏｗ−Ｅガラス１１及び強化ガラス１２に塗料等を塗布することにより透光性を有しない領域を形成しても構わない。この場合には、Ｌｏｗ−Ｅガラス１１及び強化ガラス１２に塗料を塗布するだけでスペーサー１４、固定金具１８及びフレキシブルフラットケーブル１５ａが外部から視認されることを防止することが可能である。また、上記実施形態においては、非透光性フィルム１６の色を黒色としたが、これに限るものではない。
【００４４】
上記実施形態においては、ディスプレイユニット１０が、躯体５に固定された窓枠２に支持されているＦＩＸ窓用の建具１を例に挙げて説明したがこれに限るものではない。例えば、図４に示すように、ディスプレイユニット１０の周端部が框１９に収容された障子２０を構成し、当該障子２０が躯体５に固定される窓枠２１に支持されている辷り出し窓用の建具２２であっても、また、開き窓、内倒し窓、外倒し窓、引き違い窓などの建具であっても構わない。
【００４５】
この場合には、フレキシブルフラットケーブル１５ａ及びフレキシブルフラットケーブル１５ａと有機ＥＬディスプレイ１３との接続部が損傷し難い障子２０及び建具２２を提供することが可能である。このとき、框１９及び窓枠２１を合成樹脂製とすると、框１９及び窓枠２１の熱伝導による温度の上昇を抑えられる。このため、有機ＥＬディスプレイ１３の熱による損傷をより確実に防止することが可能である。また、ディスプレイユニット１０を有する建具２２が備えられた室内の温度変化も抑えることが可能である。
【００４６】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４７】
１  建具、２  窓枠、１０  ディスプレイユニット、
１１  Ｌｏｗ−Ｅガラス(ガラス板)、１２  強化ガラス(ガラス板)、
１３  有機ＥＬディスプレイ、１５ａ  フレキシブルフラットケーブル、
１６  非透光性フィルム、１７  ディスプレイ本体、１９  框、２０  障子、
２１  窓枠、２２  建具、
Ｓ  表示領域の外側の領域、
【図１】
2019008212.tif 000003
【図２】
2019008212.tif 000004
【図３】
2019008212.tif 000005
【図４】
2019008212.tif 000006